(57)【特許請求の範囲】
【請求項１】
前後方向に移動可能な引き出し式扉を有する収納室にあって、該扉と、該扉に取り付けられた収納ケースと、該収納ケースの底面に沿うように設けられたトレーと、該トレー上に載置した小物容器とを具備し、該収納ケース内に小物容器を着脱自在に保持してなる小物容器取付装置において、
前記小物容器の取付部を前記トレーの周辺部に設け、前記トレーの周辺部で前方外側に延出して形成されたフランジに、前記小物容器の底面部前方に設けられた取付部の突起が係合することにより、前記小物容器が前記トレーに取り付けられることを特徴とする、小物容器取付装置。
【請求項２】
前記小物容器の上端部に対向した高さで収納ケースに突起を設けたことを特徴とする、請求項１に記載の小物容器取付装置。
【発明の詳細な説明】
【０００１】
【発明の属する技術分野】
本発明は冷蔵庫の引き出し式の野菜室（収納室）に関し、さらに詳細には該野菜室内の小物容器の取り付けに関する。
【０００２】
【従来の技術】
最も近い従来技術として、特開平８−１７０８７３号公報および特開平９−１１３１０９号公報に開示されているように、野菜室５内の小物容器１３は図１１に示すように基本的には野菜室５の中央付近に着脱自在に設置された仕切板３１にて保持されている。
【０００３】
【発明が解決しようとする課題】
上記仕切板３１および該仕切板３１を着脱自在に固定するために、収納ケース１０に取付突起部３２が設けられているため、庫内をより自由に効率的に使用することができなかった。
【０００４】
本発明の小物容器取付装置は、取付突起部３２を廃止して庫内を有効利用することを目的とする。
【０００９】
【課題を解決するための手段】
この発明に従った小物容器取付装置は、前後方向に移動可能な引き出し式扉を有する収納室にあって、この扉と、この扉に取り付けられた収納ケースと、この収納ケースの底面に沿うように設けられたトレーと、このトレー上に載置した小物容器とを具備し、この収納ケース内に小物容器を着脱自在に保持してなる小物容器取付装置において、小物容器の取付部をトレーの周辺部に設け、トレーの周辺部で前方外側に延出して形成されたフランジに、小物容器の底面部前方に設けられた取付部の突起が係合することにより、小物容器がトレーに取り付けられることを特徴とするものであり、この構成により収納ケースに取付部を設ける場合と比較し、トレーがより小さいためにより簡便に取付部を設けることができる。
【００１０】
この発明に従った小物容器取付装置において、小物容器の上端部に対向した高さで収納ケースに突起を設けたことを特徴とすることにより、小物容器をより確実にトレーに保持させることができる。
【００１６】
【発明の実施の形態】
本発明の小物容器取付装置を、冷蔵庫の野菜室内の小物容器取付装置に適用した場合の実施の形態を、図面を参照して説明する。以下の実施の形態は本発明を具体化したー例で本発明の技術的範囲を制限するものではない。なお同一の部位は同一符号もって示し重複した説明を省略する。
【００１７】
〔実施の形態１〕
図１は本発明の冷蔵庫全体図である。図１において、１は冷蔵庫、２は横開き式冷蔵室、３は引き出し式第１冷凍室で、４は引き出し式第２冷凍室、５は引き出し式野菜室（収納室）である。
【００１８】
図２は図１の冷蔵庫の引き出し式野菜室５の斜視図である。図２において、６は引き出し式扉、７は扉６から後方に延出して取り付けられた右側支持体、８は扉６から後方に延出して取り付けられた左側支持体、９は両支持体７及び８に直交して取り付けられた後部支持体であり、引き出し式扉６と右側支持体７と左側支持体８と後部支持体９とで枠体を構成している。
【００１９】
１０は収納ケースで、１１は該収納ケース１０の左右側面の上端部で水平方向外側に延出し形成されたたフランジ、該収納ケース１０が上記枠体の上方から挿入されて該フランジ１１が左右支持体７、８により支持され、後部支持体９により収納ケースの後方へ飛び出さないようにして設置されている。
【００２０】
１２は収納ケースの取付部、１３は小物容器、１４は小物容器の取付部であり、小物容器１３の取付部１４が収納ケース１０の取付部１２に係合し、小物容器１３が収納ケース１０に取り付けられている。
【００２１】
図３は図２のＡ−Ａ断面図である。図３において１２ａは収納ケースの取付部の凹部であり、１４ａは小物容器の取付部の突起である。
【００２２】
〔実施の形態２〕
図４は図２のＡ−Ａ断面の実施形態２の断面図である。１２ｂは収納ケース１０の取付部の突起、１４ｂは小物容器１３の取付部のスリットであり、収納ケース１０の取付部の突起１２ｂは、小物容器１３の取付部のスリット１４ｂが収納ケース１０の取付部の突起１２ｂに係合し、小物容器１３が収納ケース１０に取り付けられている。
【００２３】
〔実施の形態３〕
図５は図２のＡ−Ａ断面の他の実施例の断面図である。１２ｃは収納ケース１０の取付部の突起であり、小物ケース１３の１辺が収納ケース１０と収納ケース１０の取付部の突起１２ｃの間にはまり込み、小物容器１３が収納ケース１０に取り付けられている。
【００２４】
〔実施の形態４〕
図６は図１の冷蔵庫の引き出し式野菜室の他の実施例の斜視図である。図７は図６のＢ−Ｂ断面図である。
【００２５】
図７において、１５はトレー、１６はトレーの周辺部に設けられた取付部、１７はトレーの周辺部で前方外側に延出して形成されたフランジ、１８は小物容器１３の底面部に設けられた取付部，１９は取付部１８の下端部で内側に延出して設けられた突起であり、野菜室の前後方向に移動時にＣ点を中心にした回転力Ｄに対して小物容器が倒れないように、小物容器１３の取付部１８の突起１９がトレー１５の取付部１６のフランジ１７に係合し、小物容器１３がトレー１５に取り付けられている。
【００２６】
〔実施の形態５〕
図８は図６のＢ−Ｂ断面の他の実施例の断面図である。図８において、２０は小物容器の上端部に対向した高さで収納ケースに設けられた突起であり、小物容器１３の取付部１８がトレー１５の取付部１６に係合するとともに、収納ケースに設けられた突起２０とにより小物容器１３がトレー１５に取り付けられている。
【００２７】
〔実施の形態６〕
図９は図６のＢ−Ｂ断面の他の実施例の断面図である。図９において２１はトレーの周辺部を上方に延出させて設けた取付部であり、小物容器１３の取付部１４のスリット１４ｂがトレー１５の取付部２１に係合し、小物容器１３がトレー１５に取り付けられている。
【００２８】
図１０は小物容器の取付状態の種々の実施例の上面図である。図１０（ａ）は前後長方向に２個取り付けた場合、図１０（ｂ）は左右長方向に２個取り付けた場合、図１０（ｃ）は左端は前後長方向に、隣は左右長方向に取り付けた場合を示している。その他、使用状態に応じての種々のレイアウトが可能となる。
【００３３】
【発明の効果】
この発明によれば、収納ケースに取付部を設ける場合と比較し、トレーがより小さいためにより簡便に取付部を設けることができる。
【００３４】
この発明に従った小物容器取付装置において、小物容器の上端部に対向した高さで収納ケースに突起を設けたことにより小物容器をより確実にトレーに保持させることができる。
【図面の簡単な説明】
【図１】本発明の冷蔵庫全体を示す斜視図である。
【図２】図１に示す冷蔵庫の野菜室の斜視図である。
【図３】図２に示すＡ−Ａ断面図である。
【図４】図３に示すＡ−Ａ断面の他の実施例の断面図である。
【図５】図３に示すＡ−Ａ断面の他の実施例の断面図である。
【図６】本発明の冷蔵庫の引き出し式野菜室の他の実施例の斜視図である。
【図７】図６に示すＢ−Ｂ断面図である。
【図８】図６に示すＢ−Ｂ断面の他の実施例の断面図である。
【図９】図６に示すＢ−Ｂ断面の他の実施例の断面図である。
【図１０】小物容器の取付状態の種々の実施例の上面図である。
【図１１】従来例の冷蔵庫の引き出し式野菜室の斜視図である。
【符号の説明】
１      冷蔵庫
２      冷蔵室
３      第１冷凍室
４      第２冷凍室
５      野菜室
６      扉
７      右側支持体
８      左側支持体
９      後部支持体
１０    収納ケース
１１    フランジ
１２    取付部
１２ａ  凹部
１２ｂ  突起
１２ｃ  突起
１３    小物容器
１４    取付部
１４ａ  突起
１４ｂ  スリット
１５    トレー
１６    取り付け部
１７    フランジ
１８    取り付け部
１９    突起
２０    突起
２１    取り付け部
【図１】
0003587496.tif 000002
【図２】
0003587496.tif 000003
【図３】
0003587496.tif 000004
【図４】
0003587496.tif 000005
【図５】
0003587496.tif 000006
【図６】
0003587496.tif 000007
【図７】
0003587496.tif 000008
【図８】
0003587496.tif 000009
【図９】
0003587496.tif 000010
【図１０】
0003587496.tif 000011
【図１１】
0003587496.tif 000012